(57)【要約】【課題】給水路を流れる水の流量を推定する精度を高めるのに有利な瞬間給湯式のシャワートイレの温度制御装置を提供する。【解決手段】装置は、水源から給水路１に進入する水を加熱するヒータと、ヒータで加熱された給水路１の水を人体の局部に向けて吐出する温水吐出部と、給水路１のうち基準位置Ｋよりも下流側の温度を検知する温度検知手段７とをもつ。開閉弁１ｖが開放して水源からの新しい水が給水路１を流れるとき、新しい水が給水路１の基準位置Ｋを流れる基準時刻ｔ１を求め、開閉弁１ｖの開放により給水路１に進入した新しい水の温度を温度検知手段が検知する時刻ｔ２を求め、基準時刻ｔ１から時刻ｔ２までの時間差Δｔを計測する時間差計測手段と、給水路１に進入する水の流量を時間差Δｔに基づいて推定する流量推定手段とをもつ。【選択図】  図７
2007239199.tif 000002
【特許請求の範囲】
【請求項１】
水源に繋がる給水路と、前記給水路に設けられた開閉弁と、前記開閉弁の開放により水源から前記給水路に進入する水を加熱するヒータと、前記ヒータで加熱された前記給水路の水を人体の局部に向けて吐出する温水吐出部と、前記給水路のうち所定の基準位置よりも下流側の温度を検知する温度検知手段とを具備する瞬間給湯式のシャワートイレの温度制御装置において、
前記水源からの新しい水が前記給水路を流れるとき、前記水源からの新しい水が前記給水路の前記基準位置を流れる基準時刻ｔ１から、前記給水路に進入した新しい水の温度を前記温度検知手段が検知する時刻ｔ２までの時間差Δｔを計測する時間差計測手段と、
前記給水路に進入する水の流量を時間差Δｔに基づいて推定する流量推定手段とを具備することを特徴とする瞬間給湯式のシャワートイレの温度制御装置。
【請求項２】
請求項１において、前記温度検知手段は、前記給水路のうち前記基準位置の温度を検知する基準位置温度検知手段と、前記給水路のうち前記基準位置よりも下流側の温度を検知する下流側温度検知手段とを有しており、
前記時間差計測手段は、前記開閉弁が開放して新しい水が前記給水路を流れるとき、新しい水の温度を前記基準位置温度検知手段が検知する時刻を基準時刻ｔ１として求め、前記給水路に進入した新しい水の温度を前記下流側温度検知手段が検知する時刻を時刻ｔ２として求め、基準時刻ｔ１から時刻ｔ２までの時間差Δｔを計測することを特徴とする瞬間給湯式のシャワートイレの温度制御装置。
【請求項３】
請求項１において、前記開閉弁は前記給水路のうち前記基準位置に設けられており、
前記時間差計測手段は、前記開閉弁が開放して新しい水が前記給水路を流れるとき、前記開閉弁が開放する時刻を基準時刻ｔ１として求め、前記開閉弁の開放により前記給水路に進入した新しい水の温度を前記温度検知手段が検知する時刻を時刻ｔ２として求め、基準時刻ｔ１から時刻ｔ２までの時間差Δｔを計測することを特徴とする瞬間給湯式のシャワートイレの温度制御装置。
【請求項４】
請求項１〜３のうちのいずれか一項において、
局部を洗浄するために前記温水吐出部から吐出される温水の単位時間当たりの流量をユーザが設定するユーザ流量設定手段と、
前記流量推定手段により推定された推定流量に応じて水源の元圧を推定し、元圧の変化に伴い、前記ユーザ流量設定手段により設定されている流量を補正する流量補正手段とを具備することを特徴とする瞬間給湯式のシャワートイレの温度制御装置。
【請求項５】
請求項４において、前記ユーザ流量設定手段の開度と前記給水路を流れる水の流量と前記水源の元圧との関係を示す技術情報を記憶する記憶要素と、
前記流量推定手段により推定された推定流量に応じて前記記憶要素の前記技術情報を更新する更新手段とを具備することを特徴とする瞬間給湯式のシャワートイレの温度制御装置。
【請求項６】
請求項１〜５のうちのいずれか一項において、ユーザがトイレに入室したことが検知されたとき、または、ユーザが便座に着座したことが検知されたとき、且つ、前記温水吐出部から吐出する温水で局部を洗浄する前に、
前記時間差計測手段は時間差Δｔを計測し、前記流量推定手段は時間差Δｔに基づいて前記給水路の流量を推定することを特徴とする瞬間給湯式のシャワートイレの温度制御装置。
【請求項７】
請求項１〜６のうちのいずれか一項において、前記ヒータにより温水を生成する前に、前記時間差計測手段は時間差Δｔを計測し、前記流量推定手段は時間差Δｔに基づいて流量を推定することを特徴とする瞬間給湯式のシャワートイレの温度制御装置。
【請求項８】
請求項１〜７のうちのいずれか一項において、局部洗浄処理を開始する洗浄スイッチが設けられており、前記洗浄スイッチがユーザにより操作されると、局部洗浄の前に、前記時間差計測手段は時間差Δｔを計測し、前記流量推定手段は時間差Δｔに基づいて流量を推定することを特徴とする瞬間給湯式のシャワートイレの温度制御装置。
【請求項９】
請求項１〜８のうちのいずれか一項において、流量を推定するために前記開放弁を開放させるにあたり、前記開放弁の最大開度を１００％とするとき、７０％以上の開度に設定することを特徴とする瞬間給湯式のシャワートイレの温度制御装置。
【請求項１０】
請求項１〜９のうちのいずれか一項において、前記ユーザ流量設定手段の操作量に応じて開度が可変な流量切替器が前記給水路において前記温水吐出部の上流に設けられていることを特徴とする瞬間給湯式のシャワートイレの温度制御装置。
【請求項１１】
請求項１０において、前記流量切替器の経年変化を報知する報知手段が設けられていることを特徴とする瞬間給湯式のシャワートイレの温度制御装置。
【請求項１２】
請求項１０または１１において、前記ユーザ流量設定手段で設定された設定流量と、前記流量推定手段により推定された推定流量とが相違するとき、前記流量切替器の開度が推定流量に対応するように前記流量切替器の開度を補正する補正手段を具備することを特徴とする瞬間給湯式のシャワートイレの温度制御装置。
【発明の詳細な説明】
【技術分野】
【０００１】
本発明は局部洗浄用の水を迅速に加熱する方式を採用する瞬間給湯式のシャワートイレの温度制御装置に関する。
【背景技術】
【０００２】
従来、シャワートイレでは、ノズルから吐出させて人体の局部を洗浄する水を温水として温水タンクに貯留する方式が採用されている。しかしこの方式では、容積が大きな温水タンクが設けられているため、省スペース化、省エネルギ化を図るには限界がある。そこで、近年、局部を洗浄するときに、ノズルから吐出する水を迅速に加熱する瞬間給湯式のシャワートイレの温度制御装置が知られている（特許文献１）。この場合、温水タンクを廃止または小型化でき、省スペース化、省エネルギ化を図るのに有利である。このような温度制御装置として、人体の局部を洗浄するための水が存在する給水路の水を加熱するヒータと、ヒータで加熱される水を局部に向けて吐出するノズルと、ヒータで加熱した後の水の温度を検知するヒータ出口温度検知手段と、ノズルから吐出される水の目標温度を設定する温水温度設定手段と、ノズルから吐出される単位時間あたりの水の流量を設定するユーザ流量設定手段とを備えているものが知られている。
【０００３】
また、流量センサを廃止したトイレ装置が知られている（特許文献２）。このものによれば、給水路にヒータを設けると共にヒータの下流に温度センサを設け、ヒータで加熱された温水が温度センサの位置まで給水路を流れるとき、温度センサがこれを検知する。そして、ヒータに電力を入力した時刻に対して、温度センサが温水の温度を検知したときの時間遅れを計測し、時間遅れにより給水路を流れる洗浄水の流量を推定する。推定された流量に応じてヒータが発熱する。
【特許文献１】特開２００１−１３２０６１号公報
【特許文献２】特開２００４−２６３４２３号公報
【発明の開示】
【発明が解決しようとする課題】
【０００４】
ところで、ユーザ流量設定手段で設定された水の設定流量通りの水が給水路を流れることが重要である。特許文献１によれば、給水路を流れる水の流量を知るためには、流量センサを給水路に設ける必要があり、コストアップを招く。
【０００５】
また、特許文献２によれば、給水路を流れる水の流量を推定するため、流量センサを廃止でき、コスト的に有利である。しかしながらヒータのオン入力を開始時刻とし、ヒータで加熱された温水が温度センサの位置に到達する時刻を終了時刻とし、開始時刻から終了時刻までの時間を計測している。このため、ヒータに電力が入力された時刻に瞬間的に水が温水となれば、検知精度が確保される。しかしながら実際的に、ヒータに電力が入力された時刻から、水が温水になるまでは、時間を要する。従って時間の計測が開始されているにも拘わらず、計測対象物である温水がなかなか生成されない。水は比熱が大きいから、なおさらである。このため流量推定の精度には限界がある。殊に、水温が冷たい冬季においては、水が温水になるまではかなり時間を要するため、また、流量推定の精度の向上には限界がある。流量推定の精度を高めるためには、給水路の流路横断面積を小さくしてヒータによる水の加熱応答性を高める方策が考えられる。しかしながらこの場合には、局部を洗浄する単位時間あたりの水の流量自体が小さくなり、局部の洗浄性が損なわれる。
【０００６】
本発明は上記した実情に鑑みてなされたものであり、給水路を流れる洗浄水の流量を推定する精度を高めるのに有利な瞬間給湯式のシャワートイレの温度制御装置を提供することを課題とする。
【課題を解決するための手段】
【０００７】
本発明に係る瞬間給湯式のシャワートイレの温度制御装置は、水源に繋がる給水路と、給水路に設けられた開閉弁と、開閉弁の開放により水源から給水路に進入する水を加熱するヒータと、ヒータで加熱された給水路の水を人体の局部に向けて吐出する温水吐出部と、給水路のうち所定の基準位置よりも下流側の温度を検知する温度検知手段とを具備する瞬間給湯式のシャワートイレの温度制御装置において、
水源からの新しい水が給水路を流れるとき、水源からの新しい水が給水路の基準位置を流れる基準時刻ｔ１から、給水路に進入した新しい水の温度を温度検知手段が検知する時刻ｔ２までの時間差Δｔを計測する時間差計測手段と、給水路に進入する水の流量を時間差Δｔに基づいて推定する流量推定手段とを具備することを特徴とするものである。
【０００８】
開閉弁が閉鎖されているときには、水源から供給される新しい水は給水路に進入していない。従って温度検知手段は、新しい水が進入する前の前の給水路の温度ＴＡを検知する。水源から供給される新しい水の温度ＴＢは、温度ＴＡとは異なる。温度ＴＡと異なる温度ＴＢをもつ新しい水が給水路に供給される。時間差計測手段は、水源からの新しい水が給水路の基準位置を流れる時刻を基準時刻ｔ１として求め、更に、給水路に進入した新しい水の温度ＴＢを温度検知手段が検知する時刻を時刻ｔ２として求める。そして時間差計測手段は、基準時刻ｔ１から時刻ｔ２までの時間差Δｔを求める。時間差Δｔに基づいて、流量推定手段は、開閉弁の開放により給水路に進入する水の流量を推定する。
【発明の効果】
【０００９】
本発明によれば、上記した時間差Δｔに基づいて、流量推定手段は、給水路に進入する水の流量（単位時間当たりの流量）を推定することができる。このため推定された流量に応じて、制御手段はヒータを発熱させるため、流量センサが無くても、温水の適温化が図られる。
【００１０】
更に本発明によれば、時間差Δｔを求めるにあたり、水源から供給される新しい水を計測対象物とし、水源から供給される新しい水の温度ＴＢを求める方式が採用されている。従って本発明によれば、水源から供給される新しい水が基準位置を流れる時刻を時間計測の開始時刻とする。このため時間の計測が開始されているにも拘わらず、計測対象物である温水がなかなか生成されないため、流量推定の精度が低下する特許文献２とは異なる。従って流量推定の精度が確保される。故に、給水路を流れる水の流量を推定する精度を向上させるのに有利である。
【発明を実施するための最良の形態】
【００１１】
本発明によれば、ヒータは交流用でも直流用でも良い。ヒータに投入されるヒータ電力物理量は、ヒータに通電する電流のデューティ値または電流値である形態を例示することができる。デューティ値は｛オン時間／（オン時間＋オフ時間）｝と定義される。推定された流量に応じて、制御手段はヒータ電量物理量を調整する。
【００１２】
本発明の好ましい形態によれば、温度検知手段は、給水路のうち基準位置よりも下流側の温度を検知する下流側温度検知手段と、給水路のうち基準位置の温度を検知する基準位置温度検知手段とを有しており、時間差計測手段は、新しい水が給水路を流れるとき、新しい水の温度を基準位置温度検知手段が検知する時刻を基準時刻ｔ１として求め、開閉弁の開放により給水路に進入した新しい水の温度を下流側温度検知手段が検知する時刻を時刻ｔ２として求め、基準時刻ｔ１から時刻ｔ２まで時間差Δｔを計測する。
【００１３】
また本発明の好ましい形態によれば、開閉弁は給水路のうち基準位置に設けられており、開閉弁が開放して新しい水が給水路を流れるとき、時間差計測手段は、開閉弁が開放する時刻を基準時刻ｔ１として求め、開閉弁の開放により給水路に進入した新しい水の温度を温度検知手段が検知する時刻を時刻ｔ２として求め、基準時刻ｔ１から時刻ｔ２までの時間差Δｔを計測する。
【００１４】
温水で局部を洗浄する際に、温水となる水の水源の元圧を正確に把握することが好ましい。そこで本発明によれば、局部を洗浄するために温水吐出部から吐出される温水の単位時間当たりの流量をユーザが設定するユーザ流量設定手段と、流量推定手段により推定された推定流量に応じて水源の現在の元圧を推定し、推定元圧の変化に伴い、ユーザ流量設定手段により設定されている流量を補正する流量補正手段とを具備する形態が例示される。これにより水源の元圧が把握される。
【００１５】
前述したように、温水で局部を洗浄する際に、温水となる水の水源の元圧を正確に把握することが好ましい。そこで本発明によれば、ユーザ流量設定手段の開度と給水路を流れる水の流量と水源の元圧との関係を示す技術情報を記憶する記憶要素と、流量推定手段により推定された推定流量に応じて記憶要素の技術情報を更新する更新手段とを具備する形態が例示される。技術情報としては電子マップが例示される。
【００１６】
温水で局部を洗浄する際に、ノズル等の温水吐出部から吐出される温水の流量を正確に把握することが好ましい。このため水の流量の推定は、温水で局部を洗浄する前に実行されることが好ましい。そこで本発明によれば、ユーザがトイレに入室したことが検知されたとき、または、ユーザが便座に着座したことが検知されたとき、且つ、温水吐出部から吐出する温水で局部を洗浄する前に、時間差計測手段は時間差Δｔを計測し、流量推定手段は時間差Δｔに基づいて流量を推定する形態が例示される。従って、ユーザがトイレに入室したことを検知するトイレ入室検知手段、ユーザが便座に着座したことを検知する着座検知手段、温水吐出部から吐出する温水で局部を洗浄する洗浄スイッチを設けることが好ましい。
【００１７】
前述したように、水の流量の推定は、温水で局部を洗浄する前に実行することが好ましい。そこで本発明によれば、ヒータがオンして温水を生成する前に、時間差計測手段は時間差Δｔを計測し、流量推定手段は時間差Δｔに基づいて流量を推定する形態が例示される。推定された流量に応じてヒータ発熱量が調整される。
【００１８】
前述したように、水の流量の推定は、温水で局部を洗浄する前に実行することが好ましい。そこで本発明によれば、局部洗浄処理を開始する洗浄スイッチが設けられており、洗浄スイッチがユーザにより操作されると、局部洗浄の前に、時間差計測手段は時間差Δｔを計測し、流量推定手段は時間差Δｔに基づいて流量を推定する形態が例示される。
【００１９】
ユーザ流量設定手段の操作量に応じて開度が可変な流量切替器が給水路において温水吐出部の上流に設けられている形態が例示される。本発明の好ましい形態によれば、ユーザ流量設定手段で設定された設定流量と、流量推定手段により推定された推定流量とが相違するとき、流量切替器の開度が推定流量に対応するように流量切替器の開度を補正する補正手段が設けられている。ユーザ流量設定手段で設定される設定流量と流量切替器の開度との関係を示す技術情報を記憶する記憶要素が設けられている形態が例示される。この場合、ユーザ流量設定手段で設定された設定流量と、流量推定手段により推定された推定流量とが相違するとき、記憶要素に記憶されている流量切替器の開度が推定流量に対応するように流量切替器の開度を補正することができる。
【実施例１】
【００２０】
以下、本発明の実施例１について図１〜図１３を参照しつつ具体的に説明する。洋式の便器１００に装備されているシャワートイレ（人体局部洗浄装置）は、便器１００に搭載される操作盤１０１を有する基部１０２と、基部１０２に装備される第１ノズル１０３ｆと、基部１０２に装備される第２ノズル１０３ｓと、基部１０２に上下方向に回動可能に装備される便座１０４と、基部１０２に上下方向に回動可能に装備される便蓋１０５とを有する。基部１０２の内部に温度制御装置が設けられている。第１ノズル１０３ｆは尻局部およびビデ局部のうちの一方を洗浄するものである。第２ノズル１０３ｓは尻局部およびビデ局部のうちの他方を洗浄するものである。温度制御装置のヒータ３で加熱される水は、操作盤１０１の洗浄スイッチ２０の操作に応じて、第１ノズル１０３ｆおよび第２ノズル１０３ｓのいずれか一方に適宜切り替えられて吐出されるため、以下、第１ノズル１０３ｆおよび第２ノズル１０３ｓを含めて単にノズル１０３（温水吐出部に相当）という。
【００２１】
図２はシャワートイレの温度制御装置に関するブロック図を示す。図２に示すように、温度制御装置は、人体の局部を洗浄するために水源としての水道管１ａとノズル１０３とを接続すると共に水源の水を流す給水部としての給水路１と、給水路１を開閉するメインバルブとして機能する開閉弁１ｖと、給水路１を流れる水を加熱して温水とするヒータ材料（一般的にはセラミックスまたは金属）を基材とするヒータ３と、給水路１の先端に設けられヒータ３で加熱される水を局部に向けて吐出するノズル１０３（第１ノズル１０３ｆ、第２ノズル１０３ｓ）と、給水路１に設けられノズル１０３から吐出する流量を変更するディスクバルブで形成されている流量切替器４と、ヒータ３に過電流が流れるときヒータ３に通電する電流を遮断する温度ヒューズ５と、ヒータ３で加熱される前の水の温度を計測するヒータ入口温度検知手段としてのヒータ入口温度センサ６（基準位置温度検知手段）と、ヒータ３で加熱された後の水の温度を計測するヒータ出口温度検知手段としてのヒータ出口温度センサ７（下流側温度検知手段）と、ノズル１０３から吐出される水の目標温度を設定するユーザ温度設定手段８（温水温度設定手段）と、ノズル１０３から吐出される単位時間あたりの水の流量を設定するユーザ流量設定手段９と、制御回路１０と、制御回路１０からの信号に応じてデューティ値Ｄを発生させるデューティ値発生回路１１と、ユーザが便座１０４に着座したことを検知する着座スイッチ２１とを備えている。デューティ値発生回路１１はＰＷＭ制御回路により構成でき、ヒータ供給電源回路１２に接続されている。
【００２２】
給水路１は長い導管で形成されている。制御回路１０は、各信号が入力される入力処理回路１３と、タイマー機能をもつＣＰＵ１４と、制御信号を出力する出力処理回路１５と、記憶要素としてのメモリ１６とを有する。制御回路１０およびデューティ値発生回路１１は制御手段を構成する。更に、図２に示すように、流量切替器４を作動させるモータ等のアクチェエータ４ｍ、ノズル１０３を作動させるモータ等の第２アクチェエータ１０３ｍが設けられている。制御回路１０はアクチェエータ４ｍ及びアクチェエータ１０３ｍの作動、警報器１７の作動を制御する信号を出力する。
【００２３】
図２に示すように、ユーザ温度設定手段８、ユーザ流量設定手段９、洗浄スイッチ２０が操作盤１０１には装備されている。ユーザ温度設定手段８の信号、ユーザ流量設定手段９の信号、洗浄スイッチ２０の信号、着座スイッチ２１の信号、ヒータ入口温度センサ６の信号、ヒータ出口温度センサ７の信号は、それぞれ制御回路１０の入力処理回路１３に入力される。ユーザがユーザ流量設定手段９を操作して設定流量を切り替えると、ユーザ流量設定手段９からの信号により第１アクチェエータ４ｍは流量切替器４を作動させ、これによりノズル１０３から吐出する単位時間の流量を制御する。制御回路１０は、ユーザ温度設定手段８により設定される温水の目標温度Ｔset、ユーザ流量設定手段９により設定される設定流量Ｑset、ヒータ入口温度センサ６で検知される水の温度を考慮してデューティ値Ｄを設定する。デューティ値発生回路１１で発生したデューティ値Ｄに応じてパルス状の電流が温度ヒューズ５を介してヒータ３に通電され、デューティ値Ｄに応じてヒータ３が発熱する。デューティ値Ｄが大きいとき、ヒータ３による加熱量は増加する。デューティ値Ｄが小さいとき、ヒータ３による加熱量は減少する。デューティ値Ｄ[％]は｛オン時間／（オン時間＋オフ時間）×１００％｝と定義される。
【００２４】
ユーザがユーザ温度設定手段８を操作して水の目標温度Ｔsetを変更すると、ユーザ温度設定手段８からの信号に応じて、あるいは、ユーザがユーザ流量設定手段９を操作して設定流量Ｑsetを変更すると、デューティ値発生回路１１から出力される電流のデューティ値Ｄが変更され、ひいては単位時間当たりのヒータ３の加熱量が変更される。これによりノズル１０３から吐出する水の温度が適温化され、適温化された温水がノズル１０３から吐出され、人体の局部の洗浄に使用される。なおヒータ出口温度センサ７で検知される温水の温度Ｔoutは制御回路１０にフィードバック制御される。従って温水の温度Ｔoutと目標温度Ｔsetとの間に偏差があれば、是正される。
【００２５】
本実施例によれば、図３に示すように、流量切替器４は、異形状の第１弁口４ａをもつ第１弁部４ｂと、円形状の第２弁口４ｃをもつ第２弁部４ｄと、第１弁部４ｂを回転させるアクチェエータ４ｍ（例えばステッピングモータ等のモータ）とを有する。アクチェエータ４ｍが駆動すると、第１弁口４ａおよび第２弁口４ｃの連通面積が可変となり、ひいては流量切替器４の開度が可変となり、単位時間あたりの流量が可変となる。ユーザがユーザ流量設定手段９を操作すると、アクチェエータ４ｍが駆動されるため、ユーザ流量設定手段９の設定流量に応じて流量切替器４の開度が調整される。なお、アクチェエータ４ｍが駆動すると、異形状の第１弁口４ａをもつ第１弁部４ｂが作動するが、これに限らず、第２弁口４ｃをもつ第２弁部４ｄが作動する方式としても良い。
【００２６】
シャワートイレを据え付ける場所が変わっても、水源としての水道管１ａの元圧が変動しないことが好ましい。しかし実使用では、建築物の高い所と低い所とで水道管１ａの元圧が変化してしまうおそれがある。図４は水道管１ａの元圧が規定範囲内におけるユーザ流量設定手段９の設定流量Ｑsetと実際の流量Ｑとの関係を示す。図４に示すように、水道管１ａの元圧が規定範囲内にあれば、ユーザ流量設定手段９の設定流量Ｑsetと実際の流量Ｑとはかなり相関性をもつ。図５は水道管１ａの元圧が規定範囲を越えるときにおけるユーザ流量設定手段９の設定流量Ｑsetと実際の流量Ｑとの関係を示す。図５に示すように、水道管１ａの元圧が規定範囲を越えれば、ユーザ流量設定手段９の設定流量Ｑsetよりも実際の流量Ｑは増加する。図６は水道管１ａの元圧が規定範囲未満のときにおけるユーザ流量設定手段９の設定流量Ｑsetと実際の流量Ｑとの関係を示す。図６に示すように、水道管１ａの元圧が規定範囲未満であれば、ユーザ流量設定手段９の設定流量Ｑsetよりも実際の流量Ｑは減少する。
【００２７】
本実施例によれば、図７（Ａ）〜（Ｃ）に示すように、温度検知手段として、給水路１のうち基準位置Ｋよりも下流側（水または雰囲気）の温度を検知する下流側温度検知手段としてのヒータ出口温度センサ７と、給水路１のうち基準位置Ｋの温度を検知する基準位置温度検知手段としてのヒータ入口温度センサ６とが設けられている。給水路１のうち基準位置Ｋには、ヒータ入口温度センサ６が設けられている。ヒータ出口温度センサ７はヒータ３の下流に位置し、ヒータ入口温度センサ６はヒータ３の上流に位置する。
【００２８】
開閉弁１ｖが閉鎖されているとき、水道管１ａから供給される新しい水は、開閉弁１ｖよりも下流の給水路１には進入していない。従ってヒータ出口温度センサ７およびヒータ入口温度センサ６の双方は、新しい水が供給されていない給水路１の温度ＴＡを検知する。図７（ｃ）に示すように、水道管１ａから供給される新しい水の温度ＴＢは水道管１ａの温度であり、温度ＴＡとは異なる。
【００２９】
洗浄スイッチ２０が洗浄方向に操作されると、開閉弁１ｖが開放されるので、水道管１ａから温度ＴＢをもつ新しい水が基準位置Ｋを経て給水路１に進入する。新しい水がヒータ入口温度センサ６に到達すると、ヒータ入口温度センサ６は、新しい水の温度ＴＢを検知する。水がヒータ出口温度センサ７に到達すると、ヒータ出口温度センサ７は新しい水の温度ＴＢを検知する。
【００３０】
そして制御回路１０は、水道管１ａからの新しい水が給水路１のヒータ入口温度センサ６（基準位置Ｋ）を流れる時刻を基準時刻ｔ１として求め、更に、進入した新しい水（温度ＴＢ）がヒータ出口温度センサ７を流れる時刻を時刻ｔ２として求める。そして制御回路１０は、基準時刻ｔ１から時刻ｔ２までの時間差Δｔを求める。ここで、図８は時間差Δｔと給水路１を流れる流量との関係を示す。図８に示すように、時間差Δｔが増加するとき、給水路１を流れる流量は低下する。時間差Δｔが減少するとき、給水路１を流れる流量は増加する傾向をもつ。図８に示す特性は、記憶要素であるメモリ１６のエリアに記憶されている。制御回路１０は、図８に示す基本特性（技術情報）を示す電子マップに基づいて、給水路１に進入する単位時間あたりの水の実際の流量Ｑを時間差Δｔに応じて推定する。
【００３１】
図９は、給水路１を流れる流量と水道管１ａの元圧と流量切替器４の開度との関係を示す。ユーザ流量設定手段９の設定流量に基づいて、アクチェエータ４ｍが駆動し、流量切替器４の開度が１０％→３０％→５０％→７０％→９０％と調整される。図９に示すように、流量切替器４の開度が１０％であるとき、特性線α１とされている。流量切替器４の開度が３０％であるとき、特性線α２とされている。流量切替器４の開度が５０％であるとき、特性線α３とされている。流量切替器４の開度が７０％であるとき、特性線α４とされている。流量切替器４の開度が９０％であるとき、特性線α５とされている。図９に示す基本特性（技術情報）は、記憶要素であるメモリ１６のエリアに予め記憶されている。
【００３２】
図１０に示すように、ユーザ流量設定手段９の設定流量が流量切替器４の開度５０％に設定されているときには、ユーザ流量設定手段９の設定流量がＱｃ１であれば、本来あるべき水道管１ａの元圧はＰｃ１となる。しかし上記した手順で推定された流量がＱ１であれば、水道管１ａの実際の元圧はＰ１に変化していることになる。この場合、水道管１ａの元圧はＡ％変化していることに相当する。そこで、水道管１ａの元圧のＡ％変化に応じて、制御回路１０は、図１１に示すように電子マップの特性線α１〜α５の傾きを補正し、補正した特性線α１〜α５をメモリ１６に記憶させて、メモリ１６の内容を書き換える。
【００３３】
このように本実施例によれば、万一、ユーザ流量設定手段９の設定した設定流量と、実際に流れる流量（推定された流量）とが相違するときには、実際に流れる流量（推定された流量）に応じて流量切替器４の開度は補正される。
【００３４】
図１２は制御回路１０が実行する流量推定処理のフローチャートを示す。まず、流量推定処理は局部洗浄の前に行うため、流量推定処理を開始する洗浄スイッチ２０（着座センサ２１としても良い）の操作状態を読み込む（ステップＳ２）。流量推定処理を開始する洗浄スイッチ２０（または着座センサ２１）がオンとされているか否か判定する（ステップＳ４）。洗浄スイッチ２０（または着座センサ）がオンされていれば、ヒータ入口温度センサ６およびヒータ出口温度センサ７の出力値を読み込む（ステップＳ６）。この出力値は、給水路１に水道管１ａの新しい水が供給される前の段階における給水路１のヒータ３付近の温度（ヒータ３はオフ）に相当する。次に、開放弁１ｖを開放させると共に流量切替器４の開度を開放させることにより、水道管１ａの新しい水を給水路１に供給する（ステップＳ８）。ヒータ入口温度センサ６の出力値を読み込む（ステップＳ１０）。ヒータ入口温度センサ６が水道管１ａからの新しい水の温度ＴＢを検知するか判定する（ステップＳ１２）。検知していなければ、ヒータ入口温度センサ６の出力値を読み込みを続ける（ステップＳ１０，Ｓ１２）。検知していれば、その時刻を基準時刻ｔ１として求める（ステップＳ１４）。なお、前記したように開放弁１ｖを開放させると共に流量切替器４の開度を開放させるにあたり、水道管１ａの水を急激に給水路１に供給させた方が、ヒータ入口温度センサ６およびヒータ出口温度センサ７により温度ＴＡと温度ＴＢとの差を検知するのに有利である。そこで、本実施例によれば、開放弁１ｖの最大開度を１００％とし、流量切替器４の最大開度を１００％とするとき、それぞれ７０％以上の開度に設定することが好ましく、特に１００％の開度にそれぞれを設定することが好ましい。
【００３５】
次に、ヒータ出口温度センサ７の出力値を読み込む（ステップＳ１６）。ヒータ出口温度センサ７が新しい水の温度ＴＢを検知しているか否か判定する（ステップＳ１８）。検知していなければ、ヒータ出口温度センサ７の出力値を読み込みを続ける（ステップＳ１６、Ｓ１８）。検知していれば、検知した時刻を時刻ｔ２として求める（ステップＳ２０）。次に基準時刻ｔ１と時刻ｔ２との時間差Δｔを求める（ステップＳ２２）。ステップＳ２２は時間差計測手段として機能する。時間差Δｔから、給水路１を流れる実際の流量Ｑを推定する（ステップＳ２４）。
【００３６】
図１３は制御回路１０が推定元圧Ｑを求めた後に実行するマップ補正処理のフローチャートを示す。このフローチャートは、推定元圧の変化に伴い、ユーザ流量設定手段９により設定される設定流量Ｑsetと実際の流量Ｑとの関係を補正する流量補正手段として機能する。まず、図１０に示す基本マップに基づいて、ユーザによりユーザ流量設定手段９で設定されている設定流量Ｑｃ１を読み込む（ステップＳＢ２）。次に、設定流量Ｑｃ１から、本来あるべき水道管１ａの元圧Ｐｃ１を求める（ステップＳＢ４）。推定された流量Ｑ１から、水道管１ａの実際の元圧はＰ１を求める（ステップＳＢ６）。本来あるべき元圧Ｐｃ１が実際の元圧Ｐ１に変化している変化率Ａ％を求める（ステップＳＢ８）。次に、変化率Ａ％と所定値とを比較する（ステップＳＢ１０）。変化率Ａ％が所定値以内であれば、電子マップの特性線α１〜α５の傾きを変化率Ａ％に応じて補正する（ステップＳＢ１２）。次に、補正した特性線α１〜α５をメモリ１６に記憶させて、メモリ１６の内容を書き換える（ステップＳＢ１４）。これにより、推定された流量Ｑに応じて流量切替器４の開度は補正される。ステップＳＢ１２は、記憶要素であるメモリ１６に格納されている技術情報を推定流量Ｑに応じて更新する更新手段として機能する。このように推定された流量に応じて、制御回路１０は、ヒータ３に給電するデューティ値または電流値を補正する。このため、推定された流量に応じてヒータ３が発熱し、温水の適温化が図られる。
【００３７】
ステップＳＢ１４は、ユーザ流量設定手段９で設定された設定流量と、推定された推定流量とが相違するとき、流量切替器４の開度が推定流量に対応するように流量切替器４の開度を補正する補正手段として機能できる。
【００３８】
水質が充分でない環境においてシャワートイレがかなり長期にわたり使用されると、流量切替器４に水垢などが付着するおそれがある。この場合、流量切替器４の機能変化が発生し、流量切替器４の開度が経年変化するおそれがある。従って、ユーザ流量設定手段９で設定された設定流量と、上記した手順で推定された流量との相違量が所定量よりも大きいとき、即ち、変化率Ａが大きいときには、流量切替器４の経年変化が発生しているか、あるいは、水道管１ａ側に変化が生じているおそれがある。このためステップＳＢ１０における判定の結果、変化率Ａ％が所定値を越えているとき、警報信号を警報器１７に出力する（ステップＳＢ１６）。従ってステップＳＢ１０は、流量切替器４の経年変化を判定するか、あるいは、水道管１ａの変化を判定する判定手段として機能することができる。ステップＳＢ１６は、流量切替器４の経年変化、あるいは、水道管１ａの変化を報知する報知手段として機能できる。
【００３９】
以上説明したように本実施例によれば、時間差Δｔに基づいて、流量推定手段は、開閉弁の開放により給水路１に進入する水の流量を推定することができる。従って流量センサを廃止でき、コスト低減に貢献できる。更に、推定した流量に基づいて、制御回路１０はヒータ３の発熱量を制御する。このため、推定した流量に対応するヒータ発熱量が得られ、温水の適温化が図られる。
【００４０】
また本実施例によれば、水道管１ａの元圧の変化等の影響で、ユーザ流量設定手段９で設定された流量と実際流れる流量とが相違するときであっても、メモリ１６に格納されているマップを制御回路１０が更新して書き換える。従って更新した後には、更新したマップに基づいて流量切替器４の開度が調整されるため、ユーザ流量設定手段９で設定された設定流量に対応する流量が給水路１を流れる。このためユーザがユーザ流量設定手段９で設定した希望通りの流量が流れることになり、しかも、流量に対応するヒータ発熱量が設定されるため、ユーザが違和感を感じることが防止される。
【００４１】
また本実施例によれば、時間差Δｔを求めるにあたり、水源である水道管１ａから供給される新しい水を計測対象物とし、水道管１ａから供給される新しい水の温度ＴＢを求める方式が採用されている。従って、水道管１ａから供給される新しい水が基準位置Ｋを流れる時刻を時間計測の開始時刻とする。このため時間の計測が開始されているにも拘わらず、計測対象物である温水がなかなか生成されないため、流量推定の精度が低下する特許文献２とは異なる。従って流量推定の精度が確保される。故に、給水路１を流れる水の流量を推定する精度を向上させるのに有利である。
【００４２】
なお本実施例によれば、推定された流量に基づいてメモリ１６のマップを書き換えることにしているが、場合によっては、メモリ１６のマップを書き換えない方式でも良い。この場合においても、局部洗浄の前に、給水路１に進入する水の流量が推定される。そして、制御回路１０は、推定された流量に応じて、ヒータ３に給電するデューティ値または電流値を補正する。このため、推定された流量に応じてヒータ３が発熱し、温水の適温化が図られる。
【実施例２】
【００４３】
図１４は実施例２を示す。実施例２は実施例１と基本的には同様の構成、作用効果を有する。図１４に示すように、温度検知手段として、給水路１のうち基準位置Ｋよりも下流側の温度を検知する下流側温度検知手段としてのヒータ出口温度センサ７が設けられている。給水路１のうちヒータ出口温度センサ７の上流の基準位置Ｋには開閉弁１ｖが設けられている。開閉弁１ｖが開放する時刻が基準時刻ｔ１とされる。
【００４４】
開閉弁１ｖが閉鎖されているときには、図１４（Ａ）に示すように、水道管１ａから供給される新しい水は給水路１には進入していない。従ってヒータ出口温度センサ７は、水道管１ａからの水が供給されていない給水路１の温度ＴＡを検知する。水道管１ａから供給される新しい水の温度ＴＢは水道管１ａの温度であり、温度ＴＡとは異なる。
【００４５】
開閉弁１ｖが開放されると、図１４（Ｂ）に示すように、水道管１ａから温度ＴＢをもつ新しい水が給水路１に進入する。新しい水がヒータ出口温度センサ７に到達すると、ヒータ出口温度センサ７は新しい水の温度ＴＢを検知する。
【００４６】
そして制御回路１０は、水道管１ａからの新しい水が給水路１の基準位置Ｋである開閉弁１ｖを流れる時刻（即ち、開閉弁１ｖが開放する時刻）を基準時刻ｔ１として求め、更に、進入した新しい水（温度ＴＢ）がヒータ出口温度センサ７に到達する時刻を時刻ｔ２として求める。そして制御回路１０は、基準時刻ｔ１から時刻ｔ２までの時間差Δｔを求める。時間差Δｔに基づいて、制御回路１０は、図８に示す電子マップに基づいて、給水路１に進入する単位時間あたりの水の実際の流量Ｑを推定する。本実施例によれば、ヒータ出口温度センサ７が設けられていないが、基準位置に設けた開閉弁１ｖが開放する時刻を基準時刻ｔ１とするため、時間差Δｔを計測することができる。時間差Δｔに基づいて、給水路１を流れる実際の流量を推定することができる。従って水道管１ａの元圧が変化したとしても、制御回路１０が流量切替器４の開度を自動的に補正することにより、ノズル１３からの吐出流量を自動的に調整することができる。
【実施例３】
【００４７】
実施例３は実施例１と基本的には同様の構成、作用効果を有しており、図１〜１３を準用する。ヒータ入口温度センサ６およびヒータ出口温度センサ７は、実施例１の場合と同様に、給水路１のうちヒータ３により加熱された水の温度を検知できる位置に設けられている。流量推定処理を行う前に、給水路１のうち基準位置Ｋよりも下流側の雰囲気又は水がヒータ３により加熱されている。即ち、新しい水が給水路１に進入する前に、給水路１の温度ＴＡが上昇している。従って、水道管１ａから供給される新しい水の温度ＴＢと温度ＴＡとの温度差を大きくすることができ、温度検知の精度が向上する。従って、ヒータ入口温度センサ６およびヒータ出口温度センサ７として、分解能が小さな安価なセンサを用いることができる。
【実施例４】
【００４８】
本発明の実施例４について図１５を参照しつつ具体的に説明する。本実施例は実施例１と基本的には同様の構成および同様の作用効果を有する。本実施例においても、制御回路１０は、基準時刻ｔ１から時刻ｔ２までの時間差Δｔを求める。時間差Δｔに基づいて、制御回路１０は、図８に示す特性に基づいて、給水路１に進入する単位時間あたりの水の実際の流量Ｑを推定する。
【００４９】
図１５は本実施例の制御回路１０が実行する制御内容のブロック図を示す。このブロック図は、速度型のＰＩ制御を行うものである。図１５に付記した（１）〜（１５）の手順にしたがって説明する。
（１）推定された流量Ｑに応じて、積分ゲイン設定部２００により積分ゲインＫＩを設定する。
（２）推定された流量Ｑに応じて、比例ゲイン設定部２０１により比例ゲインＫＰを設定する。ここで、比例ゲイン設定部２０１および積分ゲイン設定部２００は、流量Ｑに応じて制御定数を変更する制御定数変更手段２０３を構成する。
（３）ヒータ入口温度センサ６で検知される加熱される前の水の温度Ｔinに応じて、積分ゲイン調整比率設定部２０４により、積分ゲインＫＩの調整比率α２を設定する。
（４）ヒータ入口温度センサ６で検知される加熱される前の水の温度Ｔinに応じて、比例ゲイン調整比率設定部２０５により、比例ゲインＫＰの調整比率α１を設定する。ここで、比例ゲイン調整比率設定部２０５および積分ゲイン調整比率設定部２０４は、ヒータ３で加熱される前の水の温度に応じて制御定数（比例ゲインＫＰおよび積分ゲインＫＩ）を調整する制御定数調整比率設定部２０７を構成する。
（５）ユーザ温度設定手段８で設定される目標温度Ｔsetと、ヒータ出口温度センサ７で検知される水の温度Ｔoutとの差である温度偏差εを、演算部１１０で求める。したがって本実施例によれば、ヒータ出口温度センサ７で検知される水の温度Ｔoutはフィードバック制御される。
（６）今回の温度偏差εと積分ゲインＫＩとを演算部１１２により乗算することにより、演算量ε・ＫＩを求める。
（７）今回の温度偏差εと、温度偏差の前回値ε’との変化量Δεを演算部１１４により求める。ここで、温度偏差の前回値ε’は第１記憶要素１６１（メモリ１６の所定のエリア）に格納されている。温度偏差の前回値ε’とは、今回実行しているルーチンよりも前回のルーチンにおける温度偏差を意味する。なお、初回のルーチンでは温度偏差の前回値ε’は０とされる。
（８）温度偏差εの変化量Δεと比例要素の比例ゲインＫＰとを演算部１１８により乗算し、演算量Δε・ＫＰを求める。
（９）（６）で求めた演算量ε・ＫＩと、積分ゲインＫＩの調整比率α２とを演算部１２０により乗算し、第２操作量Ｈ２を求める。
（１０）（８）で求めた演算量Δε・ＫＰと、比例ゲインＫＰの調整比率α１とを演算部１２２により乗算し、第１操作量Ｈ１を求める。
（１１）第１操作量Ｈ１と第２操作量Ｈ２とを演算部１２６で加算し、合計操作量Ｈｔを求める。ここで、第２記憶要素１６２（メモリ１６の所定のエリア）にはデューティ値の前回値Ｄ’が格納されている。
【００５０】
なお、初回のルーチンではデューティ値の前回値Ｄ’は０とされる。そして制御回路１０は、第２記憶要素１６２に格納されているデューティ値の前回値Ｄ’を基礎とし、デューティ値の前回値Ｄ’と合計操作量Ｈｔとを演算部１３０により加算する。これにより制御回路１０は、今回のデューティ値Ｄを求める。そして制御回路１０は、今回のデューティ値Ｄをヒータ３に出力する。今回のデューティ値Ｄ は、設定流量Ｑ、ヒータ出口温度センサ７で検知される水の温度Ｔout、ヒータ入口温度センサ６で検知される水の温度Ｔin、温度偏差ε、温度偏差εの変化量Δε、比例ゲインＫＰ、積分ゲインの調整比率α１、積分ゲインＫＩ、積分ゲインＫＩの調整比率α２を考慮している。この結果、前述したように、ユーザ流量設定手段９で水の設定流量が変更されるとしても、デューティ値Ｄを迅速に且つ適切に応答させることができる。
【００５１】
更に、ヒータ入口温度センサ６で検知される加熱される前の水の温度Ｔinが変化するとき、温度Ｔinの変化に応じて、制御定数変更手段２０７は、比例ゲインＫＰに関する調整比率α１、積分ゲインＫＩに関する調整比率α２をそれぞれ求める。そして制御回路１０は、調整比率α１および調整比率α２に応じてデューティ値Ｄ（制御量）を調整する。この結果、季節の変化等により加熱される前の水の温度Ｔinが変化するとしても、デューティ値Ｄを迅速に且つ適切に応答させることができ、温水の温度オーバが抑制される。
【００５２】
更に本実施例によれば、図１５から理解できるように、制御回路１０は、第２記憶要素１６２（メモリ１６の所定のエリア）に格納されているデューティ値の前回値Ｄ’を基礎として用い、デューティ値の前回値Ｄ’と合計操作量Ｈｔとを加算して今回のデューティ値Ｄを求める。このため、デューティ値の前回値Ｄ’を用いない場合に比較して、制御回路１０による演算時間が短縮される。故に、流量Ｑの変更、あるいは、加熱される前の水の温度Ｔinの変化があるとき、ヒータ３に通電する電流のデューティ値Ｄを一層迅速に応答させることができ、ヒータ３の応答性を高めることができる。
【００５３】
また本実施例によれば、制御回路１０は、図１５から理解できるように、第１記憶要素１６１（メモリ１６の所定のエリア）に格納されている温度偏差εの前回値ε’を基礎として用い、温度偏差εの今回値と温度偏差の前回値ε’との差Δεを演算部１１４で求める。そして、Δεと比例ゲインＫＰとの乗算に応じて、第１操作量Ｈ１を求めることにしている。このため、温度偏差εの前回値ε’を用いない場合に比較して、制御回路１０による演算時間が短縮される。故に、流量Ｑの変更、あるいは、加熱される前の水の計測温度Ｔinの変化があるとき、ヒータ３に通電する電流のデューティ値Ｄを一層迅速に応答させることができ、ヒータ３の応答性を高めることができ、局部を洗浄する温水の温度が適切化される。
【実施例５】
【００５４】
本発明の実施例５について具体的に説明する。本実施例は実施例１と基本的には同様の構成および同様の作用効果を有する。本実施例においても、制御回路１０は、基準時刻ｔ１から時刻ｔ２までの時間差Δｔを求める。時間差Δｔに基づいて、制御回路１０は、図８に示す特性に基づいて、給水路１に進入する単位時間あたりの水の実際の流量Ｑを推定する。
【００５５】
本実施例によれば、ユーザ温度設定手段８で設定された温水の目標温度をＴset［℃］とし、ヒータ入口温度センサ６で検知された水の温度をＴin［℃］とし、前記したように推定された流量をＱ［ｍｌ／ｍｉｎ］とし、γを設定値とするとき、制御回路１０（制御手段）は、下記の式（Ａ）に基づいてデューティ値Ｄ（ヒータ電力物理量）を求める。
【００５６】
｛（Ｔset−Ｔin）×Ｑ×γ｝（但し、γは実数）……（Ａ）
更に、ヒータ出口温度センサ７の温度Ｔoutが温水の目標温度Ｔsetに一致するように、フィードバック制御されている。設定値γとしては実験等に基づいて適宜設定でき、固定値でも良いし、変動値でも良く、整数、分数、少数点付き数字を含む。
【００５７】
（他の実施例）
本発明は上記し且つ図面に示した実施例のみに限定されるものではなく、要旨を逸脱しない範囲内で適宜変更して実施できる。水源は水道管１ａに限定されるものではない。更に上記した各実施例によれば、電流のデューティ値Ｄを変更することにより、ヒータ３に通電するヒータ電力物理量を変更することにしているが、これに限らず、直流電流をヒータ３に連続的に通電しつつ、その電流値を適宜増加または減少させる形態としても良い。
【産業上の利用可能性】
【００５８】
本発明は局部を洗浄するシャワートイレにおいて、局部の洗浄に使用する水を迅速に加熱する瞬間給湯式の温度制御装置に利用することができる。
【図面の簡単な説明】
【００５９】
【図１】実施例１に係り、温度制御装置を搭載するシャワートイレの斜視図である。
【図２】実施例１に係り、温度制御装置のブロック図である。
【図３】給水路に設けられている流量切替器を分解して模式的に示す斜視図である。
【図４】水道の元圧が規定範囲内におけるユーザ流量設定手段の設定流量Ｑsetと実際の流量Ｑとの関係を示すグラフである。
【図５】水道の元圧が規定範囲を越えるときにおけるユーザ流量設定手段の設定流量Ｑsetと実際の流量Ｑとの関係を示すグラフである。
【図６】は水道の元圧が規定範囲未満のときにおけるユーザ流量設定手段の設定流量Ｑsetと実際の流量Ｑとの関係を示すグラフである。
【図７】（Ａ）〜（Ｃ）はヒータ入口温度センサおよびヒータ出口温度センサが給水路の基準位置よりも下流側の温度を検知している状態を模式的に示す構成図である。
【図８】給水路を流れる水の流量と時間差Δｔとの関係を示すグラフである。
【図９】給水路を流れる流量と水道の元圧と流量切替器の開度との関係を示すグラフである。
【図１０】給水路を流れる推定流量に応じて水道の元圧の変化率を求める過程を示すグラフである。
【図１１】給水路を流れる流量と水道の元圧と流量切替器の開度との関係を推定流量に応じて補正した後のグラフである。
【図１２】制御回路が実行する流量推定処理のフローチャートである。
【図１３】制御回路が実行するマップ補正処理のフローチャートである。
【図１４】実施例２に係り、開閉弁の下流に配置されているヒータ出口温度センサが給水路の内部の温度を検知している状態を模式的に示す構成図である。
【図１５】実施例４に係り、制御回路が実行する制御内容を示すブロック図である。
【符号の説明】
【００６０】
１００は便器、１０１は操作盤、１０２は基部、１０３はノズル（温水吐出部）、１０４は便座、１０５は便蓋、１は給水路、１ａは水道管（水源）、１ｖは開閉弁、３はヒータ、４は流量切替器、６はヒータ入口温度センサ（基準位置温度検知手段）、７はヒータ出口温度センサ（下流側温度検知手段）、８はユーザ温度設定手段（温水温度設定手段）、９はユーザ流量設定手段、１０は制御回路（制御手段）、１１はデューティ値発生回路、１４はＣＰＵ、１６はメモリ（記憶要素）、１６１は第１記憶要素、１６２は第２記憶要素、２０は洗浄スイッチを示す。
【図１】
2007239199.tif 000003
【図２】
2007239199.tif 000004
【図３】
2007239199.tif 000005
【図４】
2007239199.tif 000006
【図５】
2007239199.tif 000007
【図６】
2007239199.tif 000008
【図７】
2007239199.tif 000009
【図８】
2007239199.tif 000010
【図９】
2007239199.tif 000011
【図１０】
2007239199.tif 000012
【図１１】
2007239199.tif 000013
【図１２】
2007239199.tif 000014
【図１３】
2007239199.tif 000015
【図１４】
2007239199.tif 000016
【図１５】
2007239199.tif 000017